(57)【要約】【課題】太陽光発電パネルの簡単で有効な効率改善。【解決手段】太陽光発電パネルが発電する総積算電力の極めて一部の電力を使って、発電中の太陽光発電パネルに、瞬間的に、電圧もしくは電流の刺激を作用させることで、太陽光発電パネルの電流出力特性を変える。発電がない夜かまたは発電が少ない朝夕にパルス刺激を与える。既存の装置への接続は、太陽光発電パネルが接続されている電力変換装置の2端子、もしくは、太陽光発電パネルの出力端子と電力変換装置入力端子の間の４端子に接続する。【選択図】図１
2016213943.tif 000002
【特許請求の範囲】
【請求項１】
太陽光発電プラントの電力源である太陽光発電パネルまたは太陽光発電パネルの複数が直列接続されたものを太陽光発電パネルとし、
太陽光発電プラントの、直流電力を交流電力に変換し送配電線に供給する機能を電力変換装置とし、
太陽光発電パネルの出力端子が電力変換装置の直流入力端子に接続されているものとし、
電力変換装置は、電力変換装置の入力端子の電圧と電流の積が最大となるよう、または、可能な限り最大に近くなるよう、常に機能しているものとし、
電力変換装置の入力端子、または、太陽光発電パネルの出力端子に接続し、太陽光発電パネルが出力する電力を使って、エネルギーは小さいが短時間に高密度のエネルギーを周期的に放出する機能をパルス注入装置とし、
パルス注入装置の平均消費電力は、太陽光発電パネルが発電する積算電力量に対し、経済性に影響を与えない範囲の微少電力であって、通常は0.01%から0.1%の範囲であるものとし、最大でも0.3%未満であるものとし、
パルス注入装置は、電気分極、または、磁気分極のエネルギーを蓄積する機能を有するものとし、エネルギーを蓄積する機能をストレージ回路とし、
ストレージ回路は、短時間ではあるが、太陽光発電パネルの発電素子のダイオード構造部の内部消費電流を増加させる、かまたは、発電電流に対し、逆方向に電流を流すか、のいずれかができる程度にエネルギーを放出できるものとし、
一回につきエネルギーを放出する時間は、時定数換算で、一般的には10マイクロ秒から１ミリ秒の範囲にあるものとし、最大でも30ミリ秒以下であるものとし、
パルス注入装置は、ストレージ回路にエネルギー蓄積させる機能を有するものとし、その機能をポンプアップ回路とし、
パルス注入装置は、ストレージ回路に蓄積したエネルギーを太陽光発電パネルの出力端子に向けて短時間に放出するためのスイッチ機能を有するものとし、スイッチ機能をショット回路とし、
ショット回路が機能することで、太陽光発電パネルに電圧または電流刺激を与える作用を太陽光発電パネル活性化作用とし、
太陽光発電パネル活性化作用によって太陽光発電パネルの発電電力の増加を実測に基づき確認した現象を発電能力増加効果とし、
一回の太陽光発電活性化作用による発電能力増加効果の時定数換算での持続時間を、発電能力増加効果持続時間とし、
ショット回路は一定の周期またはランダムな周期で作用するものとし、その周期は発電能力増加効果持続時間に依存して、設計的にあらかじめ固定して決定される、かまたは、動作状況に応じて、設計的に、あらかじめ定められた条件で適応制御する機能によって決定されるものとし、
パルス注入装置が、太陽光発電パネルの出力端子が接続された電力変換装置の直流入力端子に接続する機能を有することを第１の特徴とし、
パルス注入装置がストレージ回路を有することを第２の特徴とし、
パルス注入装置がショット回路を有することを第３の特徴とし、
パルス注入装置がポンプアップ回路を有することを第４の特徴とし、
パルス注入装置がショット回路の接続時間と接続周期を決定する機能を持つことを第５の特徴とし、
第１と第２と第３と第４と第５の特徴を有するパルス注入装置であって、太陽光発電パネルの光エネルギーから電気エネルギーへの変換効率を改善する装置。
【請求項２】
請求項１に定義の、発電能力増加効果と発電能力増加効果持続時間が、日射量が低い場合に、その効果が顕著になることを実測に基づき確認した現象を利用するものとし、
朝夕や雲が厚くなることによるところの、
日射量の低下を検出する日射量検出機能と
太陽光発電パネルの出力電圧の低下を検出する出力電圧検出機能と
太陽光発電パネルの出力電流の低下を検出する出力電流検出機能と
太陽光発電パネルの出力電力の低下を検出する出力電力検出機能と
のいずれをも日射量検出機能とし、
日射量検出機能が、低日射量を検出した条件で、パルス注入装置を作動させる機能、または、
日射量検出機能の出力でもって、パルス注入装置のストレージ回路に蓄積するエネルギーを制御する機能を第１パルス注入装置制御回路とし、
第１パルス注入装置制御回路を有することを第６の特徴とし、
請求項１に定義の第１と第２と第３と第４と第５に加えて第６の特徴を有するところの、太陽光発電活性化作用の発電能力増加効果と発電能力増加効果持続時間とを制御するところの太陽光発電パネルの光エネルギーから電気エネルギーへの変換効率を改善する装置。
【請求項３】
パルス注入装置を機能させるに要する電源が、蓄電池から供給されることを第７の特徴とし、
その蓄電池を充電するエネルギーとして太陽光発電パネルの発電電力の一部を使うことを第８の特徴とし、
夜になることによるところの、
日射量の低下を検出する日射量検出機能と
太陽光発電パネルの出力電圧の夜間相当の低下を検出する出力電圧検出機能と
太陽光発電パネルの出力電流の夜間相当の低下を検出する出力電流検出機能と
太陽光発電パネルの出力電力の夜間相当の低下を検出する出力電力検出機能と
のいずれをも夜間検出機能とし、
夜間検出機能が、夜間を検出した条件で、パルス注入装置を作動させる機能、または、
夜間検出機能の出力でもって、パルス注入装置のストレージ回路に蓄積するエネルギーを制御する機能を第２パルス注入装置制御回路とし、
第２パルス注入装置制御回路を有することを第９の特徴とし、
請求項１に定義の第１と第２と第３と第４と第５に加えて第７と第８と第９の特徴を有するところの太陽光発電活性化作用の発電能力増加効果と発電能力増加効果持続時間とを制御するところの、太陽光発電パネルの光エネルギーから電気エネルギーへの変換効率を改善する装置。
【請求項４】
電力変換装置の太陽光発電パネルからのマイナス側の接続端子をマイナス入力端子とし、プラス側の接続端子をプラス入力端子とし、
パルス注入装置が、プラス入力端子とマイナス入力端子へ接続の、２個の接続端子を有することを第１０の特徴とし、
第１０の特徴を有するところの、請求項１と請求項２と請求項３に定義の、太陽光発電パネルの光エネルギーから電気エネルギーへの変換効率を改善する装置。
【請求項５】
パルス注入装置が、
太陽光発電パネルからのプラス出力と、マイナス出力からの２本のリード線を接続する２個の接続端子と、電力変換装置のプラス入力端子とマイナス入力端子へ接続の、２個の接続端子との、合計４個の接続端子を有ることを第１１の特徴とし、
太陽光発電パネルからのプラス入力と電力変換装置へのプラス出力との間に、太陽光発電パネル向けのパルス電圧が電力変換装置へ直接伝わることを防ぐ機能のフィルターを有することを第１２の特徴とし、
第１１と第１２の特徴を有するところの、請求項１と請求項２と請求項３に定義の、太陽光発電パネルの光エネルギーから電気エネルギーへの変換効率を改善する装置。
【発明の詳細な説明】
【技術分野】
【０００１】
太陽光発電パネルの効率改善
【背景技術】
【０００２】
太陽光発電パネルの効率改善には以下のファクターが考えられる。
第１に、経済効果を尺度とするコストパフォーマンス。
第２に、発電素子の素材や製造方法や構造。
第３に、発電素子の表面の素材。
第４に、発電素子の集合体である太陽光発電パネルの角度の調節方法。
第５に、光を集める方法。
第６に、発電素子の集合体であるパネルの冷却方法。
第７に、直流電力を交流電力に変換する装置の効率。
第８に、発電素子の内部の絶縁層に貯める電荷の制御。
第９に、発電素子内部のキャリヤーの制御。
いずれも、多くの文献や特許出願がなされている。また、それぞれのファクターにおいても、多様な手法がある。
【０００３】
第１に、
Extraordinary Carrier Multiplication gated by a picosecond electric field pulse
Nature Communications Received 31 May 2011, Accepted 16 Nov 2011 Published 20 Dec 3011
この文献は  太陽光発電素子に  ピコ秒単位で電場パルス刺激を与えることが、素子内部の発電を司る部分のキャリヤーの状態を変える作用となり、発電量を増やすことができることを、主として理論的に説明したものである。商業的に使われている太陽光発電パネルの装置について実用的で具体的な構造や手法や回路として記述したものではない。
【０００４】
第２に、
アメリカ合衆国のUltra Solar Technology社の商品で、QuantumBoost  という商品がある。この商品は第１の技術文献に類似かまたは同様の原理により、すでに市場にある太陽光発電パネルの発電効率を改善するものである。同装置はピコ秒単位で電場パルス刺激を長時間与えることにより、素子内部の発電を司る部分のキャリヤーの状態を変えることで、発電効率を改善するものである。商品の説明では、発電効率の改善効果が顕著になるまで、30時間を超える日照時間が必要である。その間、雨天や曇天が続くと、効果のほどが曖昧となる。そして、装置は装置固有の接地条件を必要とし、接地条件が効率改善の効果を左右する。天候と時間と設置条件によって、効果の程度や効果が表れる時間に曖昧性がある。また、この商品は、ストリングと呼ばれているソーラパネルのグループの直近に設置され配線されなければならないことから、現場での作業性が悪く、実用性に照らしての難点が多い。
【０００５】
出願番号  特願2005-171289
光の強さが低下したとき、直流から交流への変換装置のスイッチング周波数を低くすることにより、電力変換装置の損失を減らす手法である。既に市場で稼働している発電中の太陽光発電パネルの発電効率を改善するものではない。
【０００６】
出願番号  特表2008-505597
直流から交流への変換装置が動作しない範囲に、光の強さが低下したとき、小さな出力を蓄電池の充電に利用し、十分充電できた状態で直流から交流への変換装置を駆動させることで、なお一層の電力を取り出そうとするものである。既に市場で稼働している発電中の太陽光発電パネルの発電効率を改善するものではない。
【発明の開示】
【発明が解決しようとする課題】
【０００７】
第１に、太陽光発電パネルの発電効率において、これから設置しようとする発電設備が発電する電力量の費用に対する割合の大幅な改善。
第２に、第１と同様であるが、太陽光発電パネルに必要な枚数の、従来よりも大幅な縮小。
第３に、第１と同様であるが、既に設置され稼働している太陽光発電パネルの発電設備の全体の発電量の費用に対する割合の大幅な増加。
第４に、設置した時点から、効果が確認できるまでの時間が短時間であること。
第５に、設置した時点から、効果が確認できるまでの時間が天候に左右されない。
第６に、設置の際の配線の状態やアースとの関係に左右されない。
第７に、設置工事が簡単で、低コストであること。
【課題を解決するための手段】
【０００８】
第１に、太陽光発電パネルにコンデンサーまたはインダクターに貯めたエネルギーを、発電による電流とは逆方向に電流で注入または電圧を印加する。
この方法で、一定周期またはランダム周期で、太陽光発電パネルにパルス刺激を与える。パルス刺激のためのエネルギーは太陽光発電パネルの発電出力を利用する。
第２に、朝夕や曇天や雨天の低日射量のとき、太陽光発電パネルにパルス刺激を与える。低日射量条件下において、パルス刺激による、発電効率の改善効果が顕著であることと、発電能力の改善効果の持続時間が長くなることを利用する。これらの効果は現象的に事実を確認したものである。
第３に、夜間、太陽光発電パネルに電気エネルギーの刺激を与える。電源は蓄電池を用いる。蓄電池の充電には日中の太陽光発電パネルの発電電力の一部を使う。
第４に、太陽光発電パネルが発電した電力を交流電力として配電線または送電線に供給するための電力変換装置の電力入力の2個の端子を利用して、太陽光発電パネルにパルス刺激を与える装置を接続する。パルス刺激を与える装置の入出力は2端子である。
第５に、電力変換装置の電力入力の2個の端子と、太陽光発電パネルの2個の出力線の間に、太陽光発電パネルにパルス刺激を与える装置を接続する。
パルス刺激を与える装置の入出力は4端子である。
【発明の効果】
【０００９】
第１に、太陽光発電パネルが発電する電力の極めて一部を利用し、発電量の大幅な改善ができる。
第２に、発電量の改善効果が表れるまでの時間が短い。
第３に、電場によるパルス刺激ではなく、電圧または電流の刺激であることから、与えるパルス刺激の量の確定が容易であり、設計精度が高く、回路構成が簡素であり、装置の外形寸法を小さくできることも相まって低コストである。
第４に、電場によるパルス刺激ではなく、電圧または電流の刺激であることから、効果がアースとの関係に依存せず、設置条件に制約はなく、配線が簡単で、個々の発電設備の構造や現場単位の個別の条件にも依存されず、効率改善の信頼度が高い。
第５に、装置を接続する場所が電力変換装置の入力端子であることから、設置が簡単であり、したがって設置のためのコストが低い。
第６に、第１から第６までの効果の結果として、効率改善に要する総費用に対し、効率改善による発電量の増加による、経済効果が、元の発電設備よりも大幅に高い。結果として、
効率改善装置も含めた発電設備全体の総費用に対する発電量の比率を大幅に改善する。
【図面の簡単な説明】
【００１０】
【図１】本案発明の基本構成を説明するブロック図。図１（ａ）は太陽光発電パネルと電力変換装置にパルス注入装置を接続した全体図。図１（ｂ）はパルス注入装置の構成を説明するブロック図。
【図２】本案発明の基本構成を説明するブロック図。図２（ａ）は太陽光発電パネルと電力変換装置にパルス注入装置を接続した全体図。図２（ｂ）はパルス注入装置の構成を説明するブロック図。
【図３】太陽光発電パネルの発電効率がパルス刺激によって変化する様子の説明図。  図３（ａ）はパルス刺激の説明図。図３（ｂ）は太陽光発電パネルの発電による出力電流の増加の説明図。図３（ｃ）はパルス刺激の長時間軸の説明図。図３（ｄ）は太陽光発電パネルの発電による出力電流の長時間軸の増加の説明図。
【図４】太陽光発電パネルのパルス刺激の繰り返しによる発電能力の変化の説明図。
【図５】図１（ｂ）のパルス注入装置に低日射量の検出機能または夜間検出機能を組み込んだ場合のブロック図。
【図６】図２（ｂ）のパルス注入装置に低日射量の検出機能または夜間検出機能を組み込んだ場合のブロック図。
【発明を実施するための最良の形態】
【００１１】
電力変換装置の電力入力端子に接続することで機能する、太陽光発電パネルの効率改善装置。
【産業上の利用可能性】
【００１２】
第１に、発電効率の改善による電力の販売と利用
第２に、既存の太陽光発電所の電力変換装置の各ストリングに接続するところのアフターマーケットとしての効率改善装置の製造販売と設置工事。
第３に、発電効率改善機能を組み込んだ太陽光発電パネルの製造と販売。
第４に、発電効率改善機能を組み込んだ電力変換装置の製造と販売。
【実施例】
【００１３】
図１は本案発明のパルス注入装置が２端子の場合の基本構成を説明するブロック図である。
請求項１と請求項４に対応する説明図である。
図１（ａ）は太陽光発電パネルと電力変換装置とパルス注入装置を含む全体図である。
P1, P2, P3, ,,,,Pn     は一枚一枚の太陽光発電パネルであって、直列接続されている。以下の記述及び、請求項の記述において、個々の太陽光発電パネルと複数の太陽光発電パネルを総称して太陽光発電パネルと称する。
LIGHT  は太陽光、POSITIVE  は太陽光発電パネルのプラス出力、NEGATIVE  は太陽光発電パネルのマイナス出力、である。
INV  は       直流電力を交流電力に変換し、送配電線へ供給する電力変換装置、Vin  は電力変換装置の電力入力端子の電圧、Iin  は電力変換装置の電力入力端子の電流、
+IN  は       電力変換装置の電力入力端子のプラス側、-IN  は電力変換装置の入力端子のマイナス側、R,S,T  は電力変換装置の三相電力出力線である。
通常の発電プラントは太陽光発電パネルと電力変換装置から構成される。
ACT  はパルス注入装置、P-IN-OUT  はパルス注入装置の電力入出力端子のプラス側、
N-IN-OUT  はパルス注入装置の電力入出力端子のマイナス側である。
【００１４】
図１（ｂ）は、図１（ａ）のACT  パルス注入装置の内部構成のブロック図である。
それぞれの用語は請求項に定義のものと同じである。
PUMP-UP  はポンプアップ回路、STRAGE  はストレージ回路、DISCHARGE  はショット回路である。
ポンプアップ回路はストレージ回路にエネルギーを蓄積させる。ストレージ回路に蓄積されたエネルギーが一定値に達すると、ショット回路が作動し、太陽光発電パネルにパルス電圧またはパルス電流を注入する。この時のパルス電流の方向は、太陽光発電パネルの内部発電素子が発生するところの外部へ流している電流を減らし、発電素子内部の電力消費を増やす方向である。この刺激によって、太陽光発電パネルの発電能力が増えることが現象的に確認できる。この発電能力の増加は時間の経過とともに効果が減少する、しかし、一度の刺激によってその効果が持続するところの、メモリー効果を伴う。限度はあるものの、メモリー効果は刺激の繰り返しによって大きくなる。これらの効果も現象的に確認できる。
また、一度に強いエネルギーを注入するのではなく、弱いエネルギーを繰り返し注入することで、強いエネルギーを注入したと同じ効果が得られる。ただし、効果は時間とともに、また、環境条件や動作条件にも左右されて減少する。請求項１に定義の発電能力増加効果持続時間は、諸条件により、数百ミリ秒から数秒程度の短い時間から、数分単位や一週間単位以上の長い時間にもなることが現象的に確認できる。パルス注入を日常的に行うことで、太陽光発電パネルの恒常的な効率改善を図ることができる。
図１（ｂ）の場合は、パルス注入装置が持つ端子の入力と出力が共用であることから、先端にターミナルを設けた、２つのリード線を、太陽光発電パネルからのリード線のターミナルと電力変換装置の電力入力端子に共締めすることができる。従って、構成は最も簡素である。２端子のパルス注入装置に使用する部品で比較的大きなものは、パルス刺激に必要な、電気エネルギーの蓄積のためのコンデンサーもしくは磁気エネルギーの蓄積のインダクターであり、発電効率改善装置の外形寸法を抑えることができる。小さい外径寸法によって、電力変換装置の電力入力端子付近の空きスペースに収納できるよう、設計することができる。
【００１５】
図２は、本案発明のパルス注入装置が４端子の場合の基本構成を説明するブロック図である。請求項１と請求項５に対応する説明図である。
図２（ａ）は太陽光発電パネルと電力変換装置とパルス注入装置を含む全体図である。
図２（ｂ）はパルス注入装置の構成を説明するブロック図である。
P-IN  と  P-OUT  はそれぞれ、パルス注入装置のプラス側入出力の、太陽光発電パネル側からの入力線と電力変換装置への出力線である。
N-IN  と  N-OUT  はそれぞれ、パルス注入装置のマイナス側入出力の、太陽光発電パネル側からの入力線と電力変換装置への出力線である。
FILTER  は電力変換装置へのパルス電圧によるショックを和らげるフィルターである。
図２（ｂ）の場合のパルス注入装置が持つ端子は入力が２端子、出力が２端子であることから、入力側を太陽光パネル側のリード線のターミナルのネジ止め用の２端子と、電力変換装置側へのリード線としてリード線の先端にターミナルを設けたもので構成できる。
４端子のパルス注入装置に使用する部品で比較的大きなものはパルス刺激に必要な電気エネルギーの蓄積のために必要なコンデンサーもしくは磁気エネルギー蓄積のために必要なインダクターと、比較的太い線の接続用のターミナルであり、発電効率改善装置の外形寸法を抑えることができることから、電力変換装置の電力入力端子付近の空きスペースに収納できるよう、設計することができる。
【００１６】
図２（ｂ）の図１（ｂ）と異なる点は、パルス注入装置のパルス刺激の電力変換装置への伝わりを和らげるために、電力変換装置への接続線の間にパルスの衝撃を和らげるフィルターが入っている点であり、そして、そのために４端子構造である点である。電力変換装置は通常、落雷などの高電圧の異常電圧にも耐えられるよう設計されているので、特にフィルターを設ける必要はない。しかし、電力変換装置の機能の一つとして通称MPPTと呼ばれるところの、太陽光発電パネルから最大電力取り出すための機能を持っていて、この機能がパルス電圧の影響を受けることもある。このフィルターは、太陽光発電パネルの発電効率の改善には直接機能するものではないが、パルス注入装置の電力変換装置への影響を無くす意味での実用的な装置としての完成度を上げるに必要な機能の一つである。
【００１７】
図３は太陽光発電パネルの発電効率がパルス刺激によって変化する様子の説明図である。
図３（ａ）はパルス刺激の短い時間軸での説明図、図３（ｂ）は太陽光発電パネルの発電による出力電流の増加の短い時間軸での説明図、図３（ｃ）はパルス刺激の長い時間軸での説明図、図３（ｄ）は太陽光発電パネルの発電による出力電流の長い時間軸での増加の説明図である。
VOLTAGE  はパルス注入装置が発生するパルス電圧の軸、CURRENT  は太陽光発電パネルが発電する電流出力軸、TIME  は時間軸、t  はパルス刺激のパルス幅、
T  はパルス刺激のパルスの周期、e  はパルス刺激の太陽光発電パネルのプラス側とマイナス側の両端に発生するパルスの電圧振幅、E  は太陽光発電パネルの出力電圧、
T1,T2,T3,T4,T5,T6,T7,T8,Tf  はパルス刺激のタイミング、
I1,I2,I3,I4,I5,I6,I7,I8,If  はパルス刺激によって、太陽光発電パネルの出力電流がその度ごとに変化する様子を示す。太陽光発電パネルの出力能力の増加傾向は注入するパルス刺激の強さや周期によって変化する。一回のパルス刺激によって改善される発電能力の改善はメモリー効果として認められ、時間とともに減衰する。その減衰度合について、以下の要員が現象的に確認できる。太陽光発電パネルの運転状況や、太陽光発電パネルが受けている光の強さや、発電素子の構造や、一部の構造物の絶縁状態など多様な要因の影響を受ける。この傾向は光が弱いほど、蓄積の度合が大きい。これらは現象的に確認できる。
その理由については、本案発明の本質とするところではないので、説明を省略する。
図３（ｃ）とパルス刺激の、図４（ｄ）は発電電流の、時間軸を長くとった場合の注入パルスと太陽光発電パネルの発電能力の関係である。図３（ｃ）は、度重なるパルス刺激によって、増加する発電能力は一定限度に収束する。この収束の状態についても、太陽光発電パネルの運転状況や、太陽光発電パネルが受けている光の強さや、発電素子の構造や、一部の構造物の絶縁状態など多様な要因の影響を受けることが現象的に確認されている。
【００１８】
図４は太陽光発電パネルのパルス刺激の繰り返しによる発電能力の変化の説明図である。
図４の、横軸  CURRENTは電流、縦軸  VOLTAGE  は電圧である。
C0,C1,C2,C3,C4,C5,C6,C7,C8,Cf  は注入するパルスごとの太陽光発電パネルの出力電流と出力電圧の関係を示す特性傾向である。図３（ｄ）に示す電流の増加が電流電圧特性に対応している。
MPP0,MPP1,MPP2,MPP3,MPP4,MPP5,MPP6,MPP7,MPP8,MPPf,  は注入するパルスごとの太陽光発電パネルの最大出力点である。電力変換装置は太陽光発電パネルから取り出せる電力が常に最大となるよう、通称MPPTと呼ばれる機能を持っている。注入するパルスごとの出力電圧には大きな変化はないものの、出力電流が大きく変化する。この変化の度合は、太陽光発電パネルが受ける光が強い場合よりも、弱い場合のほうが顕著であることが現象的に確認できる。
【００１９】
図５は、図１（ｂ）の2端子のパルス注入装置に、低日射量検出機能または夜間検出機能を組み込んだ場合のブロック図である。請求項２と請求項３と請求項４に対応する説明である。以下の説明で、夜間検出機能に必要な充電と蓄電池に関しては説明を省略する。
太陽光発電パネルの出力電圧は  RV-1  と  RV-2  によって分圧され、低日射量検出機能または夜間検出機能に入力する。V-DETECT  の電圧が低下する条件でもって、パルス注入装置のパルス刺激の機能を起動させる。照度計も利用できるが、実用的には低日射量検出または夜間検出は電圧検出によって十分に機能する。CTR  はパルス注入の動さを停止させる制御出力である。
【００２０】
図６は、図２（ｂ）の4端子のパルス注入装置に低日射量検出機能または夜間検出機能を組み込んだ場合のブロック図である。請求項２と請求項３と請求項５に対応する説明である。以下の説明で、夜間検出機能に必要な充電と蓄電池に関しては説明を省略する。
太陽光発電パネルの出力電圧は  RV-1  と  RV-2  によって分圧され、低日射量検出機能または夜間検出機能に入力する。太陽光発電パネルの出力電流は  Ri  の電圧降下による電圧として、低日射量検出機能または夜間検出機能に入力する。
V-DETECT  または  I-DETECT  の電圧が低下する条件で、パルス注入装置の機能を起動させる。太陽光発電パネルの出力電圧は電力変換装置が取り込む電流に大きく依存することから、I-DETECT  と  V-DETECT  の関係から、パルス注入装置の機能を起動させることもできる。
またV-DETECT  の電圧と  I-DETECTの電圧の積が太陽光発電パネルの発電電力に対応することから、計算された電力値の低下の条件で、パルス注入装置の機能を起動させることもできる。FILTER  はパルス注入によって発生するパルス電圧の電力変換装置への影響を軽減する、フィルターである。CTR  はパルス注入の動さを停止させる制御出力である。
【符号の説明】
【００２１】
P1, P2, P3, ,,,,Pn          太陽光発電パネル
LIGHT                太陽光
POSITIVE             太陽光発電パネルのプラス出力
NEGATIVE             太陽光発電パネルのマイナス出力
ACT                  パルス注入装置
P-IN-OUT             パルス注入装置の電力入出力端子のプラス側
N-IN-OUT             パルス注入装置の電力入出力端子のマイナス側
INV                  電力変換装置
Vin                  電力変換装置の電力入力端子の電圧
Iin                  電力変換装置の電力入力端子の電流
+IN                  電力変換装置の電力入力端子のプラス側
-IN                  電力変換装置の電力入力端子のマイナス側
R,S,T                電力変換装置の三相電力出力線
PUMP-UP              ポンプアップ回路
STRAGE        ストレージ回路
DISCHARGE            ショット回路
P-IN                 電力変換装置のプラス側端子の入力と出力が分かれている場合
の太陽光発電パネル側からの入力線
P-OUT                電力変換装置のプラス側端子の入力と出力が分かれている場合
の電力変換装置側への出力線
N-IN                 電力変換装置のマイナス側端子の入力と出力が分かれている
場合の太陽光発電パネル側からの入力線
N-OUT                電力変換装置のマイナス側端子の入力と出力が分かれている
場合の電力変換装置側への出力線
FILTER               電力変換装置へのパルス電圧のショックを和らげるフィルター
VOLTAGE              太陽光発電パネルの出力電圧の軸
CURRENT              太陽光発電パネルの出力電流の軸
TIME                 時間軸
t                    パルス刺激のパルス幅
T                    パルス刺激のパルスの周期
e                    パルス刺激のパルスの振幅
E                    太陽光発電パネルの出力電圧
T1,T2,T3,T4,T5,T6,T7,T8,Tf  
パルス刺激のパルスのタイミング
I1,I2,I3,I4,I5,I6,I7,I8,If         
パルス刺激のパルスごとの太陽光発電パネルの出力電流
C0,C1,C2,C3,C4,C5,C6,C7,C8,Cf
パルス刺激のパルスごとの太陽光発電パネルの出力特性
MPP0,MPP1,MPP2,MPP3,MPP4,MPP5,MPP6,MPP7’,MPP8,MPPf,
パルス刺激のパルスごとの太陽光発電パネルの最大出力点
DETECT        低日射量検出部または夜間検出部
V-DETECT             太陽光発電パネル出力電圧検出入力
I-DETECT             太陽光発電パネル出力電流検出入力
CTR                  ポンプアップ回路とストレージ回路とショット回路の制御出力
RV-1,Rv-2            太陽光発電パネル出力電圧検出のための分圧抵抗
Ri                   太陽光発電パネル出力電流検出のための抵抗
【図１】
2016213943.tif 000003
【図２】
2016213943.tif 000004
【図３】
2016213943.tif 000005
【図４】
2016213943.tif 000006
【図５】
2016213943.tif 000007
【図６】
2016213943.tif 000008